(57)【要約】【課題】ユーザがより効率よく睡眠することを促進する制御方法および制御装置を提供する。【解決手段】ユーザの眼電位を測定する眼電位測定センサ１２０によって、ユーザの眼電位を測定する測定ステップＳ２１と、測定ステップＳ２１において測定された眼電位に基づいて、ユーザの睡眠状態がノンレム睡眠か否かを判断する第１判断ステップＳ２２と、第１判断ステップＳ２２において、ユーザの睡眠状態がノンレム睡眠ではないと判断された場合に、ユーザの目元を温める素子によりユーザの目元を温める制御ステップＳ２３と、を含む。【選択図】図８
2015147034.tif 000002
【特許請求の範囲】
【請求項１】
ユーザの眼電位を測定する眼電位測定センサによって、前記ユーザの眼電位を測定する測定ステップと、
前記測定ステップにおいて測定された前記眼電位に基づいて、前記ユーザの睡眠状態がノンレム睡眠か否かを判断する第１判断ステップと、
前記第１判断ステップにおいて、前記ユーザの睡眠状態がノンレム睡眠ではないと判断された場合に、前記ユーザの目元を温めることが可能な素子により前記ユーザの目元を温める制御ステップと、を含む
制御方法。
【請求項２】
前記第１判断ステップでは、前記眼電位に基づいて、前記ユーザの眼の動きが停止したと判断した場合に、前記ユーザの睡眠状態がノンレム睡眠であると判断する
請求項１に記載の制御方法。
【請求項３】
前記第１判断ステップでは、前記眼電位に基づいて、前記ユーザの眼の動きが停止した後に再び前記ユーザの眼の動きが発生したと判断した場合に、前記ユーザの睡眠状態がノンレム睡眠ではないと判断する
請求項１または２に記載の制御方法。
【請求項４】
前記素子は、さらに、目元を冷やすことが可能であり、
さらに、
睡眠時間または起床時刻を設定する第１設定ステップを含み、
前記第１判断ステップでは、前記ユーザの１回の睡眠における前記ノンレム睡眠ではないと判断した回数をカウントし、
前記制御ステップでは、（ｉ）前記１回の睡眠における前記ノンレム睡眠ではないと前記第１判断ステップにおいて判断された回数が２回以降であり、かつ、（ｉｉ）前記１回の睡眠が開始されてから前記第１設定ステップにおいて設定された前記睡眠時間が経過した、または、前記第１設定ステップにおいて設定された前記起床時刻を経過した、場合に、前記素子により目元を冷やす
請求項１から３のいずれか１項に記載の制御方法。
【請求項５】
前記制御ステップでは、前記素子により目元を冷やす場合、睡眠状態がノンレム睡眠ではないと前記第１判断ステップにおいて判断された時刻から所定時間後に、前記素子により目元を冷やす
請求項４に記載の制御方法。
【請求項６】
さらに、
前記制御ステップで行われる制御モードとして第１モードおよび第２モードのいずれか一方を設定する第２設定ステップと、
現在設定されている前記制御モードが前記第１モードであるか前記第２モードであるかを判断する第２判断ステップと、を含み、
前記制御ステップでは、
前記第２判断ステップにおいて前記制御モードが前記第１モードに設定されていると判断された場合、（ｉ）前記１回の睡眠における前記ノンレム睡眠ではないと前記判断ステップにおいて判断された回数が２回以降であり、かつ、（ｉｉ）前記１回の睡眠が開始されてから前記第１設定ステップにおいて設定された前記睡眠時間が経過した、または、前記第１設定ステップにおいて設定された前記起床時刻を経過した、場合に、前記素子により目元を冷やし、
前記第２設定ステップにおいて前記制御モードが前記第２モードに設定されていると判断された場合、予め設定されている睡眠時間が経過した場合に、前記素子により目元を冷やす
請求項４または５に記載の制御方法。
【請求項７】
前記制御ステップでは、さらに、前記判断ステップにおいて、前記ユーザの睡眠状態がノンレム睡眠ではないと判断された場合に、前記ユーザの周辺に配置されている周辺機器に対してユーザの睡眠状態がノンレム睡眠になることを促進する促進制御を行う
請求項１から６のいずれか１項に記載の制御方法。
【請求項８】
前記周辺機器は、香ディフューザーであり、
前記制御ステップでは、前記香ディフューザーからユーザの睡眠を促進させる香りを発生させる制御を前記促進制御として行うことにより、前記ユーザの睡眠を促進させる
請求項７に記載の制御方法。
【請求項９】
前記ユーザの睡眠を促進させる香りは、ラベンダーの香りである
請求項８に記載の制御方法。
【請求項１０】
眼電位を測定する眼電位測定センサと、
目元を温めることが可能な素子と、
前記眼電位測定センサにより測定された前記眼電位に基づいて、前記素子を制御する制御部と、を備え、
前記制御部は、
前記眼電位測定センサによって、眼電位を測定する眼電位測定部と、
前記眼電位に基づいて睡眠状態がノンレム睡眠であるか否かを判断する判断部と、
前記判断部により睡眠状態がノンレム睡眠ではないと判断された場合に、前記素子により目元を温める作動制御部と、を有する
制御装置。
【請求項１１】
ユーザの頭部に装着した状態で当該ユーザの眼を覆うアイマスクであって、
請求項１０に記載の制御装置と、眼を覆うカバーとを有する本体部と、
前記本体部を頭部に固定する固定部と、を備える
アイマスク。
【請求項１２】
前記眼電位測定センサは、前記本体部が前記固定部により頭部に固定された状態で、眼の周辺の皮膚に接触する位置に設けられる
請求項１１に記載のアイマスク。
【請求項１３】
前記制御部は、当該制御部の機能が実現される回路が形成された回路基板からなり、
前記回路基板は、前記本体部が前記固定部により頭部に固定された状態で、前記本体部のうちで両眼の間に対応する位置に配置されている
請求項１１または１２に記載のアイマスク。
【請求項１４】
前記制御装置は、さらに、前記回路基板を駆動する電力を供給する電池を有し、
前記電池は、前記本体部が前記固定部により頭部に固定された状態で、前記本体部のうちで両眼の間に対応する位置に配置されている
請求項１３に記載のアイマスク。
【発明の詳細な説明】
【技術分野】
【０００１】
本発明は、ユーザがより効率よく睡眠することを促進するための制御方法、制御装置、およびアイマスクに関する。
【背景技術】
【０００２】
従来、ユーザが特に明るい場所で睡眠を取りやすくするために、ユーザの眼を覆うことでユーザの眼に外の光が到達することを遮断するアイマスクが知られている。さらに、特許文献１のような技術では、ユーザの眼に光が到達することを防ぐ他に、アイマスクのユーザの眼に対応する位置に遠赤外線セラミック板を配置することで、ユーザの目元の血行を良くし、眼の疲れや頭部全体の疲労感を軽減している。
【先行技術文献】
【特許文献】
【０００３】
【特許文献１】特開平２−２８０７５０号公報
【発明の概要】
【発明が解決しようとする課題】
【０００４】
しかしながら、上記従来の技術では、ユーザがより効率よく睡眠するようにさせるには十分ではなかった。
【０００５】
そこで、本発明の目的は、かかる問題に鑑みてなされたものであって、ユーザがより効率よく睡眠することを促進する制御方法および制御装置を提供することにある。
【課題を解決するための手段】
【０００６】
上記目的を達成するために、本発明の一態様に係る制御方法は、ユーザの眼電位を測定する眼電位測定センサによって、前記ユーザの眼電位を測定する測定ステップと、前記測定ステップにおいて測定された前記眼電位に基づいて、前記ユーザの睡眠状態がノンレム睡眠か否かを判断する第１判断ステップと、前記第１判断ステップにおいて、前記ユーザの睡眠状態がノンレム睡眠ではないと判断された場合に、前記ユーザの目元を温めることが可能な素子により前記ユーザの目元を温める制御ステップと、を含む。
【０００７】
なお、これらの全般的または具体的な態様は、制御装置、システム、集積回路、コンピュータプログラムまたはコンピュータ読み取り可能なＣＤ−ＲＯＭなどの記録媒体で実現されてもよく、制御装置、システム、集積回路、コンピュータプログラムおよび記録媒体の任意な組み合わせで実現されてもよい。また、制御装置を備えるアイマスクとして実現されてもよい。
【発明の効果】
【０００８】
本発明の制御方法、制御装置、およびアイマスクは、ユーザがより効率よく睡眠することができる。
【図面の簡単な説明】
【０００９】
【図１】図１は、実施の形態１に係るアイマスクの外観を示す外観斜視図である。
【図２】図２は、実施の形態１に係るアイマスクを人間の頭部に固定したときにおける、アイマスクの各部の位置を説明するための図である。
【図３】図３は、実施の形態１に係るアイマスクの分解斜視図である。
【図４】図４は、実施の形態１に係る制御装置の機能構成を示すブロック図である。
【図５】図５は、実施の形態１における制御装置による制御方法における処理手順を示すフローチャートである。
【図６】図６は、睡眠レベルの遷移および深部体温の遷移を睡眠状態が快眠である人と不眠である人とで比較した図である。
【図７】図７は、実施の形態２に係る制御装置の機能構成を示すブロック図である。
【図８】図８は、実施の形態２における制御装置による制御方法における処理手順を示すフローチャートである。
【図９】図９は、実施の形態３に係る制御システムの構成を示す図である。
【図１０】図１０は、実施の形態４に係る制御装置による制御方法における処理手順を示すフローチャートである。
【発明を実施するための形態】
【００１０】
（本発明の基礎となった知見）
本発明者らは、「背景技術」の欄において記載した、アイマスクに関し、以下の問題が生じることを見出した。
【００１１】
人間は、身体の内部の温度（以下、「深部体温」という。）を下げた場合、深い睡眠を取りやすくなる。深部体温は、身体の表面の皮膚の温度（以下、「皮膚温」という。）を温めることで下げることができる。これは、体の表面を温めれば体の表面近くの毛細血管が拡張するため、体内の温度を体外に放出しやすくできるためと考えられる。
【００１２】
しかしながら、従来のアイマスクでは、人間の深部体温をコントロールすることについては考慮されていない。つまり、従来のアイマスクでは、人間の深部体温をコントロールできないため、人間を効率よく睡眠させることは難しい。
【００１３】
本発明は、このような知見に基づいてなされたものであり、本発明者らが鋭意検討した結果、人間がより効率よく睡眠することを促進できる制御方法、制御装置、およびアイマスクを提供することを目的とする。
【００１４】
上記目的を達成するために、本発明の一態様に係る制御方法は、ユーザの眼電位を測定する眼電位測定センサによって、前記ユーザの眼電位を測定する測定ステップと、前記測定ステップにおいて測定された前記眼電位に基づいて、前記ユーザの睡眠状態がノンレム睡眠か否かを判断する第１判断ステップと、前記第１判断ステップにおいて、前記ユーザの睡眠状態がノンレム睡眠ではないと判断された場合に、前記ユーザの目元を温めることが可能な素子により前記ユーザの目元を温める制御ステップと、を含む。
【００１５】
これによれば、ユーザの眼電位を測定することにより、ユーザの睡眠の状態がノンレム睡眠であるか否かを判断している。そして、ノンレム睡眠でないと判断した場合に、素子により目元を温める。一般的に、人の睡眠状態は、深部体温を下げることで深い睡眠（ノンレム睡眠）となる。この制御方法では、比較的身体の中でも血管が多い目元を温めることで、全身の皮膚温を温めることができる。その結果、深部体温を下げることができる。このように、ユーザの睡眠状態がノンレム睡眠ではないと判断した時に、ユーザの目元を素子により温めるため、ユーザの深部体温を下げることができ、ユーザの睡眠状態を深い睡眠状態に遷移させることができる。このため、ユーザは、効率よく睡眠することができる。
【００１６】
また、例えば、前記第１判断ステップでは、前記眼電位に基づいて、前記ユーザの眼の動きが停止したと判断した場合に、前記ユーザの睡眠状態がノンレム睡眠であると判断するとしてもよい。
【００１７】
また、例えば、前記第１判断ステップでは、前記眼電位に基づいて、前記ユーザの眼の動きが停止した後に再び前記ユーザの眼の動きが発生したと判断した場合に、前記ユーザの睡眠状態がノンレム睡眠ではないと判断するとしてもよい。
【００１８】
また、例えば、前記素子は、さらに、目元を冷やすことが可能であり、さらに、睡眠時間または起床時刻を設定する第１設定ステップを含み、前記第１判断ステップでは、前記ユーザの１回の睡眠における前記ノンレム睡眠ではないと判断した回数をカウントし、前記制御ステップでは、（ｉ）前記１回の睡眠における前記ノンレム睡眠ではないと前記第１判断ステップにおいて判断された回数が２回以降であり、かつ、（ｉｉ）前記１回の睡眠が開始されてから前記第１設定ステップにおいて設定された前記睡眠時間が経過した、または、前記第１設定ステップにおいて設定された前記起床時刻を経過した、場合に、前記素子により目元を冷やすとしてもよい。
【００１９】
また、例えば、前記制御ステップでは、前記素子により目元を冷やす場合、睡眠状態がノンレム睡眠ではないと前記第１判断ステップにおいて判断された時刻から所定時間後に、前記素子により目元を冷やすとしてもよい。
【００２０】
また、例えば、さらに、前記制御ステップで行われる制御モードとして第１モードおよび第２モードのいずれか一方を設定する第２設定ステップと、現在設定されている前記制御モードが前記第１モードであるか前記第２モードであるかを判断する第２判断ステップと、を含み、前記制御ステップでは、前記第２判断ステップにおいて前記制御モードが前記第１モードに設定されていると判断された場合、（ｉ）前記１回の睡眠における前記ノンレム睡眠ではないと前記判断ステップにおいて判断された回数が２回以降であり、かつ、（ｉｉ）前記１回の睡眠が開始されてから前記第１設定ステップにおいて設定された前記睡眠時間が経過した、または、前記第１設定ステップにおいて設定された前記起床時刻を経過した、場合に、前記素子により目元を冷やし、前記第２設定ステップにおいて前記制御モードが前記第２モードに設定されていると判断された場合、予め設定されている睡眠時間が経過した場合に、前記素子により目元を冷やしてもよい。
【００２１】
また、例えば、前記制御ステップでは、さらに、前記判断ステップにおいて、前記ユーザの睡眠状態がノンレム睡眠ではないと判断された場合に、前記ユーザの周辺に配置されている周辺機器に対してユーザの睡眠状態がノンレム睡眠になることを促進する促進制御を行ってもよい。
【００２２】
また、例えば、前記周辺機器は、香ディフューザーであり、前記制御ステップでは、前記香ディフューザーからユーザの睡眠を促進させる香りを発生させる制御を前記促進制御として行うことにより、前記ユーザの睡眠を促進させてもよい。
【００２３】
また、例えば、前記ユーザの睡眠を促進させる香りは、ラベンダーの香りであってもよい。
【００２４】
また、例えば、眼電位を測定する眼電位測定センサと、目元を温めることが可能な素子と、前記眼電位測定センサにより測定された前記眼電位に基づいて、前記素子を制御する制御部と、を備え、前記制御部は、前記眼電位測定センサによって、眼電位を測定する眼電位測定部と、前記眼電位に基づいて睡眠状態がノンレム睡眠であるか否かを判断する判断部と、前記判断部により睡眠状態がノンレム睡眠ではないと判断された場合に、前記素子により目元を温める作動制御部と、を有する制御装置で実現してもよい。
【００２５】
また、例えば、ユーザの頭部に装着した状態で当該ユーザの眼を覆うアイマスクであって、前記制御装置と、眼を覆うカバーとを有する本体部と、前記本体部を頭部に固定する固定部と、を備えるアイマスクで実現してもよい。
【００２６】
また、例えば、前記眼電位測定センサは、前記本体部が前記固定部により頭部に固定された状態で、眼の周辺の皮膚に接触する位置に設けられるとしてもよい。
【００２７】
また、例えば、前記制御部は、当該制御部の機能が実現される回路が形成された回路基板からなり、前記回路基板は、前記本体部が前記固定部により頭部に固定された状態で、前記本体部のうちで両眼の間に対応する位置に配置されているとしてもよい。
【００２８】
また、例えば、前記制御装置は、さらに、前記回路基板を駆動する電力を供給する電池を有し、前記電池は、前記本体部が前記固定部により頭部に固定された状態で、前記本体部のうちで両眼の間に対応する位置に配置されているとしてもよい。
【００２９】
なお、これらの全般的または具体的な態様は、システム、集積回路、コンピュータプログラムまたはコンピュータ読み取り可能なＣＤ−ＲＯＭなどの記録媒体で実現されてもよく、システム、集積回路、コンピュータプログラムおよび記録媒体の任意な組み合わせで実現されてもよい。
【００３０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
以下、本発明の一実施の形態による表示装置について図を用いて説明するが、本発明の実施の態様はこれに限定されるものではない。
【００３２】
（実施の形態１）
図１は、本実施の形態に係るアイマスクの外観を示す外観斜視図である。図２は、本実施の形態に係るアイマスクを人間の頭部に固定したときにおける、アイマスクの各部の位置を説明するための概略図である。図３は、本実施の形態に係るアイマスクの分解斜視図である。
【００３３】
図１〜３に示すように、アイマスク１は、本体部８０と、固定部７０とからなる。本体部８０は、カバー１０と、筐体２０と、電池３０と、制御装置４０と、伝熱材５０と、シリコーンラバー６０とにより構成される。固定部７０は、布およびゴムで構成されたバンド状の部材であり、固定部７０の両端が本体部８０の両端に接続される。固定部７０は、アイマスク１が頭部に装着された状態で、側頭部および後頭部を巻くことにより、本体部８０を頭部の顔側に位置するように固定する部材である。
【００３４】
カバー１０は、アイマスク１がユーザの頭部に装着された状態で、ユーザの眼を覆う樹脂製のカバーであり、アイマスク１の本体部８０の外装である。筐体２０は、アイマスク１が頭部の眼の周辺に沿う形状を維持するための樹脂製の構造体である。電池３０は、制御装置４０（特に回路基板４４に形成されている回路）を駆動させるための電力を供給する。
【００３５】
制御装置４０は、眼電位測定センサ４１と、ペルチェ素子４２と、振動素子４３と、回路基板４４と、通信基板４５とにより構成される。
【００３６】
眼電位測定センサ４１は、眼の周辺の電位（眼電位）を検出する。眼電位測定センサ４１は、図２に示すように、２つのセンサからなり、アイマスク１が頭部に装着された状態（つまり本体部８０が固定部７０により頭部の顔側の位置に固定された状態）で、両眼の周辺の皮膚に接触する位置に設けられる。つまり、眼電位測定センサ４１は、両眼のそれぞれに対応する位置に１つずつ設けられる。なお、眼電位測定センサ４１は、図２では、眼と眉毛との間に位置するように配置されているが、眼の周辺の皮膚に接触すればよいため、眼の横側の皮膚に接触するように配置されてもよいし、眼の下側の皮膚に接触するように配置されてもよい。
【００３７】
ペルチェ素子４２は、アイマスク１が頭部に装着された状態で、眼の周辺を、伝熱材５０を介して温めたり、冷やしたりすることが可能な素子である。ペルチェ素子４２は、図示しない第１部分と第２部分とを有し、流す電流の向きを変更することで、第１部分から放熱（加熱）され、かつ、第２部分から吸熱（冷却）される状態と、第１部分から吸熱（冷却）され、かつ、第２部分から放熱（加熱）される状態とを切り替えることが可能である。ペルチェ素子４２は、第１部分が伝熱材５０と接触している。
【００３８】
振動素子４３は、眼の下側の皮膚に接触するように配置され、眼の下側の皮膚を振動させる圧電素子である。なお、振動素子４３は、圧電素子でなくてもよく、振動モータを利用してもよい。
【００３９】
回路基板４４は、図示しないＣＰＵ（Ｃｅｎｔｒａｌ  Ｐｒｏｃｅｓｓｉｎｇ  Ｕｎｉｔ）およびメモリが実装されており、電池３０から電力を供給されることにより、駆動する。回路基板４４は、眼電位測定センサ４１により検出された結果に応じて、ペルチェ素子４２および振動素子４３を制御する回路が形成されている。回路基板４４は、筐体２０に最も曲げ応力がかかりにくい本体部８０の中央部に配置されている。つまり、回路基板４４は、本体部８０が固定部７０により頭部の顔側の位置に固定された状態で、本体部８０のうちで両眼の間に対応する位置に配置されている。なお、電池３０は、回路基板４４に近接する位置に配置される。つまり、電池３０は、回路基板４４と同様に、本体部８０が固定部７０により頭部の顔側の位置に固定された状態で、本体部８０のうちで両眼の間に対応する位置に配置されている。
【００４０】
通信基板４５は、Ｂｌｕｅｔｏｏｔｈ（登録商標）規格により通信するための回路が形成された基板である。アイマスク１は、通信基板４５により、例えば、Ｂｌｕｅｔｏｏｔｈ（登録商標）規格による通信をスマートフォンなどの情報端末との間で行うことができる。なお、通信基板４５は、Ｗｉ−Ｆｉなどの無線ＬＡＮ規格により通信するための回路が形成された基板であってもよい。
【００４１】
伝熱材５０は、本体部８０が頭部の顔側の位置に装着された状態で、ペルチェ素子４２で生じた熱を眼の周辺の皮膚に伝えて放熱させたり、眼の周辺の皮膚の熱をペルチェ素子４２に伝えて吸熱させたりする金属製（例えばアルミニウム製）の部材である。
【００４２】
シリコーンラバー６０は、本体部８０が頭部の顔側の位置に装着された状態で、眼の周辺に接触する、シリコーンラバー製のクッション部材である。つまり、シリコーンラバー６０は、アイマスク１が頭部に装着されることにより、本体部８０により顔面が圧迫されることを軽減するための部材である。
【００４３】
図４は、実施の形態１に係る制御装置の機能構成を示すブロック図である。つまり、図１〜３に示されるハードウェア構成によって発揮される制御装置４０の機能の構成を示すブロック図である。
【００４４】
制御装置１００は、制御部１１０と、眼電位測定センサ１２０と、作動部１３０と、入力部１４０と、通信部１５０とにより構成される。
【００４５】
眼電位測定センサ１２０は、図２および３における眼電位測定センサ４１により実現される。眼電位測定センサ１２０は、ユーザの眼電位を測定する。
【００４６】
作動部１３０は、熱源部１３１および振動部１３２からなる。熱源部１３１は、図２および３におけるペルチェ素子４２により実現され、ユーザの目元（ユーザの顔面のうちの眼の周辺の部分）を温めたり冷やしたりすることが可能である。振動部１３２は、図２および３における振動素子４３により実現され、目元に振動を加える。
【００４７】
入力部１４０は、図示しない入力ボタン等によって実現され、ユーザから睡眠時間または起床時刻などを示す情報の入力を受け付ける。入力部１４０によって入力された情報は、時刻設定部１１４によって、睡眠時間または起床時刻として設定される。
【００４８】
通信部１５０は、図３における通信基板４５により実現される。通信部１５０は、スマートフォンなどの情報端末と通信することにより、眼電位測定センサ１２０により測定された結果を送信する。
【００４９】
制御部１１０は、図２および３における回路基板４４によって実現され、眼電位測定センサにより測定された眼電位に基づいて、作動部１３０を制御する。制御部１１０は、眼電位測定部１１１と、判断部１１２と、作動制御部１１３と、時刻設定部１１４とを有する。
【００５０】
眼電位測定部１１１は、眼電位測定センサ１２０によって眼電位を測定する。判断部１１２は、眼電位測定センサ１２０によって測定された眼電位に基づいてユーザの睡眠状態がノンレム睡眠であるか否かを判断する。作動制御部１１３は、判断部１１２によりユーザの睡眠状態がノンレム睡眠ではないと判断された場合に、作動部１３０の熱源部１３１を作動させてユーザの目元を温める。なお、ノンレム睡眠ではないと判断された場合とは、ユーザの睡眠状態がレム睡眠または覚醒である場合である。
【００５１】
また、判断部１１２は、眼電位測定センサ１２０によって測定された眼電位に基づいて、ユーザの眼の動きが停止ししたと判断した場合に、当該ユーザの睡眠状態がノンレム睡眠であると判断してもよい。
【００５２】
また、判断部１１２は、眼電位測定センサ１２０によって測定された眼電位に基づいて、ユーザの眼の動きが停止した後に、再び当該ユーザの眼の動きが発生したと判断した場合に、当該ユーザの睡眠状態がノンレム睡眠ではないと判断するとしてもよい。
【００５３】
判断部１１２は、具体的には、眼電位測定センサ１２０により測定された眼電位の変化の幅が所定の幅よりも小さい場合に、ユーザの眼の動きが停止したと判断し、当該眼電位の変化の幅が所定の幅よりも大きい場合に、ユーザの眼が動いていると判断する。
【００５４】
時刻設定部１１４は、睡眠時間または起床時刻を設定する。具体的には、時刻設定部１１４は、入力部１４０によりユーザに入力された睡眠時間または起床時刻を設定する。この場合、判断部１１２は、ユーザの１回の睡眠におけるノンレム睡眠ではないと判断した回数をカウントしてもよい。そしてこの場合、作動制御部１１３は、（ｉ）ユーザの１回の睡眠におけるノンレム睡眠ではないと判断部１１２により判断された回数が２回以降であり、かつ、（ｉｉ）当該ユーザの１回の睡眠が開始されてから時刻設定部１１４により設定された睡眠時間が経過した、または、時刻設定部１１４により設定された起床時刻を経過した、場合に、熱源部１３１により目元を冷やすとしてもよい。
【００５５】
また、通信部１５０は、情報端末により入力された情報を受信するとしてもよい。つまり、通信部１５０が睡眠時間または起床時刻を示す情報を受信した場合に、時刻設定部１１４が通信部１５０により受信された睡眠時間または起床時刻を設定するとしてもよい。
【００５６】
また、作動制御部１１３は、熱源部１３１により目元を冷やす場合、睡眠状態がノンレム睡眠ではないと判断部１１２により判断された時刻から所定時間後に、熱源部１３１により目元を冷やすとしてもよい。
【００５７】
次に、以上のように構成された本実施の形態における制御装置による制御方法の処理手順について説明する。
【００５８】
図５は、本実施の形態１における制御装置による制御方法における処理手順を示すフローチャートである。
【００５９】
まず、ユーザが入力部１４０を操作する、または、スマートフォンなどの情報端末を操作することにより入力された情報に基づいて、時刻設定部１１４は起床時刻を設定する（Ｓ１１）。時刻設定部１１４は、入力された情報に基づいて、睡眠時間を設定してもよい。
【００６０】
眼電位測定部１１１は、眼電位測定センサ１２０によって眼電位を測定する（Ｓ１２：測定ステップ）。
【００６１】
判断部１１２は、測定ステップにおいて測定された眼電位に基づいて、ユーザの睡眠状態がノンレム睡眠か否かを判断する（Ｓ１３：第１判断ステップ）。
【００６２】
第１判断ステップにおいてユーザの睡眠状態がノンレム睡眠であると判断された場合（Ｓ１３でＹｅｓ）、制御部１１０は、第１判断ステップを繰り返す。つまり、制御部１１０は、ユーザの睡眠状態がノンレム睡眠でないと判断されるまで待機する。なお、ステップＳ１３においてユーザの睡眠状態がノンレム睡眠であると判断された場合（Ｓ１３でＹｅｓ）、熱源部１３１によりユーザの目元を温めている場合には、ユーザが深い睡眠レベルに遷移しているため熱源部１３１によるユーザの目元を温める制御を停止してもよい。これにより、電池３０の電力が消費されることを防ぐことができる。
【００６３】
第１判断ステップにおいてユーザの睡眠状態がノンレム睡眠でないと判断された場合（Ｓ１３でＮｏ）、制御部１１０の作動制御部１１３は、熱源部１３１（ペルチェ素子４２）によりユーザの目元を温める（Ｓ１４：制御ステップ）。つまり、この場合、作動制御部１１３は、熱源部１３１の状態を、伝熱材５０と接触しているペルチェ素子４２の第１部分から放熱される状態とする。
【００６４】
次に、判断部１１２は、ノンレム睡眠ではないと判断した回数をカウントする（Ｓ１５）。具体的には、判断部１１２は、ノンレム睡眠ではないと判断した回数としてカウントしている数（以下、「カウント数」という。）に１を加える。なお、カウント数は、制御方法の処理が開始された時には０である。
【００６５】
次に、判断部１１２は、ノンレム睡眠ではないと判断した回数が２回以降であるか否かを判断する（Ｓ１６）。つまり、判断部１１２は、カウント数が２以上であるか否かを判断する。
【００６６】
判断部１１２は、カウント数が２以上であると判断した場合（Ｓ１６でＹｅｓ）、現在の時刻が起床時刻を経過したか否かを判断する（Ｓ１７）。なお、この場合（Ｓ１６でＹｅｓ）であって、時刻設定部１１４により睡眠時間が設定されている場合には、判断部１１２は、ユーザの１回の睡眠が開始されてから時刻設定部１１４により設定された睡眠時間が経過したか否かを判断するとしてもよい。なお、ユーザの１回の睡眠が開始された時刻は、ユーザが制御装置１００の電源を入れた時刻としてもよいし、ステップＳ１１が行われた時刻としてもよいし、眼電位測定センサ１２０によって眼電位が検出され始めた時刻としてもよい。
【００６７】
判断部１１２により現在の時刻が起床時刻を経過したと判断された場合、または、ユーザの１回の睡眠が開始されてから睡眠時間が経過したと判断された場合（以下、いずれの場合も「起床時刻を経過したと判断された場合」とする。）（Ｓ１７でＹｅｓ）に、作動制御部１１３は、熱源部１３１の状態をペルチェ素子４２の第１部分から吸熱される状態とし、終了する（Ｓ１８）。なお、この時、作動制御部１１３は、振動部１３２を振動させてもよい。また、作動制御部１１３が熱源部１３１の状態をペルチェ素子４２の第１部分から吸熱される状態とする、および、振動部１３２を振動させる、の少なくとも一方を行うタイミングは、起床時刻を経過した直後でなくてもよく、起床時刻を経過してから所定時間後に行ってもよい。このように、ノンレム睡眠以外が２回以降であって、時刻設定部１１４により設定された起床時刻を経過した場合に、伝熱材５０から吸熱される、および、振動部１３２が振動される、の少なくとも一方が行われるため、ユーザを適切なタイミングで起こすことができる。ステップＳ１８が行われれば、制御方法における処理を終了する。
【００６８】
なお、判断部１１２は、カウント数が２以上の場合に、現在の時刻が起床時刻を経過したか否かを判断しているが、カウント数は２以上に限らずに、３以上、４以上などであってもよく、予め定められた数以上であってもよい。
【００６９】
一方で、ノンレム睡眠以外が２回未満であると判断された場合（Ｓ１６でＮｏ）、または、起床時刻を経過していないと判断された場合（Ｓ１７でＮｏ）、ステップＳ１２に戻る。
【００７０】
図６は、睡眠レベルの遷移および深部体温の遷移を睡眠状態が快眠である人と不眠である人とで比較した図である。図６では、実線の矢印は睡眠状態が快眠の人を示しており、破線の矢印は睡眠状態が不眠の人を示している。また、太線の矢印は睡眠レベルの遷移を示しており、細線の矢印は深部体温の遷移を示している。つまり、矢印６１１は睡眠状態が快眠の人の睡眠レベルの遷移を示し、矢印６１２は睡眠状態が不眠の人の睡眠レベルの遷移を示し、矢印６２１は睡眠状態が快眠の人の深部体温の遷移を示し、矢印６２２は睡眠状態が不眠の人の深部体温の遷移を示す。
【００７１】
図６に示すように、睡眠状態が快眠の人では、覚醒状態からレム睡眠になり、さらに深い睡眠状態であるノンレム睡眠に、睡眠状態が不眠の人よりも早い段階で遷移する。睡眠状態が快眠の人の場合、ノンレム睡眠とレム睡眠とを複数回繰り返し、１回のノンレム睡眠における最も深い睡眠レベルが徐々に浅くなっていき、覚醒する。一方で、睡眠状態が不眠の人の場合、ノンレム睡眠とレム睡眠とを複数回繰り返すのは快眠の人と同じであるが、ノンレム睡眠であっても睡眠レベルが浅い睡眠を繰り返したり、睡眠の途中で覚醒したりし、最終的に覚醒する。このように、不眠の人の場合、睡眠のレベルが、快眠の人よりも全体的に浅くなる傾向にある。
【００７２】
このときの深部体温を快眠の人と不眠の人とで比較すると、快眠の人の深部体温は睡眠開始直後から急な傾きで下がっているが、不眠の人の深部体温は睡眠が開始されても快眠の人の深部体温よりも緩やかな傾きで下がっており、１回の睡眠における深部体温の最低温度についても不眠の人は快眠の人よりも高い温度となっている。このように、不眠の人は、睡眠が開始されても、深部体温が下がりにくい傾向にあり、深い睡眠にはなりにくい状態である。
【００７３】
このような不眠の人に、本実施の形態１に係るアイマスク１を装着して睡眠させれば、ノンレム睡眠以外の場合に目元を温めるようにアイマスク１のペルチェ素子４２が制御されるため、例えば、図６の６０１の状態の時に目元を温めることができる。これにより、ユーザの深部体温を下がりやすい状態に遷移させることができ、不眠の人の睡眠状態を快眠の人の睡眠状態に近づけることができる。このため、より効率のよい睡眠を促進することができる。
【００７４】
本実施の形態１に係る制御方法によれば、ユーザの眼電位を測定することにより、ユーザの睡眠の状態がノンレム睡眠であるか否かを制御部１１０の判断部１１２が判断している。そして、ノンレム睡眠でないと判断部１１２が判断した場合に、作動制御部１１３がペルチェ素子４２により目元を温めさせる。一般的に、人の睡眠状態は、深部体温を下げることで深い睡眠（ノンレム睡眠）となる。この制御方法では、比較的身体の中でも血管が多い目元を温めることで、全身の皮膚温を温めることができる。その結果、深部体温を下げることができる。このように、ユーザの睡眠状態がノンレム睡眠ではないと判断した時に、ユーザの目元をペルチェ素子４２により発生させた熱を利用して温めるため、ユーザの深部体温を下げることができる。これにより、ユーザの睡眠状態を深い睡眠状態に遷移させることができる。このため、ユーザは、効率よく睡眠することができる。
【００７５】
（実施の形態２）
図７は、実施の形態２に係る制御装置の機能構成を示すブロック図である。
【００７６】
上記実施の形態１では、熱源部１３１としてペルチェ素子４２を利用しており、また、時刻設定部１１４により設定された起床のタイミングで、ペルチェ素子４２によりユーザの目元を冷やしているが、必ずしもこのような構成は必須ではない。
【００７７】
制御装置２００は、制御部２１０と、眼電位測定センサ２２０と、熱源部２３０とにより構成される。つまり、実施の形態１における、時刻設定部１１４、振動部１３２、入力部１４０、および通信部１５０はなくてもよい。眼電位測定部２１１および眼電位測定センサ２２０は、それぞれ、実施の形態１の眼電位測定部１１１および眼電位測定センサ１２０と同じ構成である。また、判断部２１２は、実施の形態１に係る判断部１１２とはことなりノンレム睡眠ではないと判断した場合をカウントすることはしない。また、作動制御部２１３は、熱源部２３０のみを制御することが実施の形態１の作動制御部１１３と異なる。また、熱源部２３０は、ペルチェ素子４２のように冷却する機能を有していなくてもよく、例えば、電熱線などのような加熱する機能を有する素子を利用してもよい。
【００７８】
図８は、実施の形態２における制御装置による制御方法における処理手順を示すフローチャートである。
【００７９】
まず、眼電位測定部２１１は、眼電位測定センサ２２０によって眼電位を測定する（Ｓ２１：測定ステップ）。
【００８０】
次に、判断部２１２は、測定ステップにおいて測定された眼電位に基づいて、ユーザの睡眠状態がノンレム睡眠か否かを判断する（Ｓ２２：第１判断ステップ）。
【００８１】
そして、第１判断ステップにおいてユーザの睡眠状態がノンレム睡眠であると判断された場合（Ｓ２２でＹｅｓ）、制御部２１０は、第１判断ステップを繰り返す。つまり、制御部２１０は、ユーザの睡眠状態がノンレム睡眠でないと判断されるまで待機する。
【００８２】
第１判断ステップにおいてユーザの睡眠状態がノンレム睡眠でないと判断された場合（Ｓ２２でＮｏ）、制御部２１０の作動制御部２１３は、熱源部１３１によりユーザの目元を温め（Ｓ２３：制御ステップ）、制御方法を終了する。
【００８３】
（実施の形態３）
図９は、実施の形態３に係る制御システムの構成を示す図である。
【００８４】
制御システム９００は、実施の形態１で説明したアイマスク１と、スマートフォンなどの情報端末９０１と、周辺機器９０２〜９１０とにより構成される。周辺機器９０２〜９１０は、ブラインド９０２と、照明機器９０３と、エアコン９０４と、電子レンジ９０５と、加湿器９０６と、オーディオ機器９０７と、テレビ９０８と、香ディフューザー９０９と、電熱線により加熱可能なブランケット９１０とを含む。周辺機器９０２〜９１０には、Ｂｌｕｅｔｏｏｔｈ（登録商標）やＷｉ−Ｆｉなどにより情報端末９０１と通信可能に構成されており、情報端末９０１からの制御指令を受信して、受信した制御指令に基づく制御を行うことのできる構成となっている。
【００８５】
実施の形態１および２の制御装置１００、２００では、アイマスク１単体でユーザの睡眠状態の遷移を促進する制御を行っているが、これに限らずに、情報端末９０１によってアイマスク１で判断されたユーザの睡眠状態を取得して、当該睡眠状態に応じた各種制御を周辺機器９０２〜９１０に行わせてもよい。
【００８６】
具体的には、情報端末９０１は、アイマスク１の判断部１１２において判断されたユーザの睡眠状態を示す睡眠情報を受信して、ユーザの睡眠状態がノンレム睡眠以外であることを受信した睡眠情報が示している場合に、ユーザの睡眠状態がノンレム睡眠になることを促進する各種制御を例えば図５のフローチャートのステップＳ１４のタイミングで周辺機器９０２〜９１０に行わせてもよい。また、情報端末９０１は、ユーザの１回の睡眠におけるノンレム睡眠以外の回数が所定の回数以降であり、かつ、１回の睡眠が開始されてから起床時刻を経過している場合に、ユーザの睡眠状態が覚醒の状態になることを促進する各種制御を例えば図５のフローチャートのステップＳ１８のタイミングで周辺機器９０２〜９１０に行わせてもよい。
【００８７】
ユーザの睡眠状態がノンレム睡眠になることを促進する各種制御とは、具体的には、照明機器９０３の場合には、例えば、照明機器９０３の照度を低下させる制御、睡眠を促進させる色に照明機器９０３の色を変化させる制御などである。エアコン９０４の場合には、例えば、ユーザの身体を温める暖房運転を行う制御である。加湿器９０６の場合には、例えば、ユーザが睡眠している空間を適度な湿度に加湿する制御である。オーディオ機器９０７の場合には、例えば、ユーザの睡眠を促進させるためのユーザをリラックスさせるクラシック音楽などを再生する制御である。テレビ９０８の場合には、例えば、ユーザの睡眠を促進させるためのユーザをリラックスさせる映像（例えば、自然の景色を撮影した映像）および音楽（クラシック音楽または自然の音、雨音、波の音など）を再生する制御である。香ディフューザー９０９の場合には、例えば、ユーザの睡眠を促進させるための香り（例えばラベンダーの香り）を発生する制御である。また、ブランケット９１０の場合には、例えば、ユーザの身体を電熱線により発生させた熱で温める制御である。
【００８８】
また、ユーザの睡眠状態が覚醒の状態になることを促進する各種制御とは、具体的には、ブラインド９０２の場合には、例えば、ユーザが睡眠している空間に窓からの光が照射されるように、ブラインド９０２を開けたり、ブラインド９０２の角度を調整したりする制御である。照明機器９０３の場合には、例えば、白色光を照射する制御である。エアコン９０４の場合には、例えば、ユーザの身体を冷やす冷房運転または送風運転を行う制御である。電子レンジ９０５の場合には、例えば、ユーザが目覚めるような音を発生する制御である。加湿器９０６の場合には、例えば、ユーザが睡眠している空間への加湿を停止する制御である。オーディオ機器９０７の場合には、例えば、ユーザの覚醒を促進させる音楽または音を再生する制御である。テレビ９０８の場合には、例えば、ユーザの覚醒を促進させる映像を再生する制御である。ブランケット９１０の場合には、例えば、ユーザの身体を温めることを停止する制御である。
【００８９】
また、ユーザの睡眠状態がノンレム睡眠になることを促進する各種制御として、情報端末９０１が、例えば、ユーザの睡眠を促進させるためのユーザをリラックスさせるクラシック音楽などを再生する制御を行ってもよい。また、ユーザの睡眠状態が覚醒の状態になることを促進する各種制御として、情報端末９０１が、例えば、ユーザが目覚めるようなアラーム音などを発生する制御を行ってもよい。つまり、情報端末９０１が周辺機器と連携して周辺機器にユーザの睡眠状態に応じた各種制御を行わせるだけでなく、情報端末９０１自身がユーザの睡眠状態に応じてユーザの感覚に直接働きかける制御を行うようにしてもよい。
【００９０】
（実施の形態４）
実施の形態４の制御装置の制御方法について説明する。実施の形態４の制御装置の制御方法は、実施の形態１の制御方法とは、制御モードが２つあることが異なる。具体的には、制御モードとして、ユーザが睡眠を十分にとることを目的とする第１モードと、ユーザが短時間（例えば、１０〜３０分間）の仮眠をとることを目的とする第２モードとの２つがあり、制御モードに応じてユーザを覚醒させるタイミングが異なる。実施の形態４の制御装置の制御方法について、図１０を用いて説明する。なお、実施の形態４の制御装置は、実施の形態１の制御装置１００と同じである。
【００９１】
図１０は、実施の形態４における制御装置による制御方法における処理手順を示すフローチャートである。
【００９２】
まず、ユーザが入力部１４０を操作する、または、スマートフォンなどの情報端末を操作することにより入力された情報に基づいて、制御部１１０は、制御モードを設定する（Ｓ３１：第２設定ステップ）。
【００９３】
次に、制御部１１０は、設定した制御モードが第１モードであるか、第２モードであるかを判断する（Ｓ３２：第２判断ステップ）。
【００９４】
制御部１１０は、制御モードが第１モードであると判断した場合（Ｓ３２で第１モード）、実施の形態１で説明したステップＳ１１〜ステップＳ１８の制御を行う。なお、ステップＳ１１〜ステップＳ１８の制御は、実施の形態１と同様であるので、説明を省略する。
【００９５】
一方で、制御部１１０は、制御モードが第２モードであると判断した場合（Ｓ３２で第２モード）、ステップＳ１４と同様に、制御部１１０の作動制御部１１３は、熱源部１３１（ペルチェ素子４２）によりユーザの目元を温める（Ｓ３３：制御ステップ）。
【００９６】
判断部１１２は、ステップＳ３２またはステップＳ３３が行われたタイミングから、予め設定されている睡眠時間が経過したか否かを判断する（Ｓ３４）。なお、ここで予め設定されている睡眠時間とは、第２モードでの睡眠時間であって、例えば１０〜３０分間で設定されている。睡眠時間は、デフォルトで所定時間が設定されていてもよいし、ユーザにより変更されてもよい。睡眠時間は、仮眠をとることを目的としているため、ユーザにより変更されることが可能な場合には、設定可能な最大時間（例えば３０分間など）が定められていてもよい。
【００９７】
判断部１１２により予め設定されている睡眠時間が、ステップＳ３２またはステップＳ３３が行われたタイミングから経過したと判定された場合（Ｓ３４でＹｅｓ）、実施の形態１のステップＳ１８が行われ終了する。
【００９８】
一方で、睡眠時間を経過していないと判断された場合（Ｓ３４でＮｏ）、ステップＳ３４に戻る。
【００９９】
本実施の形態４に係る制御装置１００の制御方法では、制御モードとして第１モードと第２モードとの２種類の制御モードがあるため、昼寝のように短時間の仮眠をとりたい場合であっても、睡眠の促進をしつつ、かつ、設定された時刻に覚醒させるための制御が行われる。これにより、ユーザの状況に応じて、適切なタイミングでユーザの睡眠の促進または覚醒の促進の制御を行うことができる。
【０１００】
（変形例）
（１）
本実施の形態１〜３では、ノンレム睡眠であるか否かを判断することにユーザの眼電位の測定結果を用いているが、これに限らない。例えば、カメラを用いてユーザの目元を撮影し、撮影した画像を解析することでユーザの眼が動いているか否かを判断し、眼が動いていない場合をノンレム睡眠であると判断してもよい。また、例えば、ユーザの身体が動いていない場合をノンレム睡眠であると判断してもよい。この場合のユーザの体の動きの判定には、カメラを用いてユーザの身体を撮影し、撮影した画像を解析することでユーザの身体が動いているか否かを判断してもよいし、電波をユーザの身体に照射してユーザの身体までの距離を測定し、測定した結果が変化していなければユーザの身体が動いていないと判断しもよいし、加速度センサをユーザの身体または枕元など身体の動きを検出できる位置に設置し、加速度センサの結果を用いてユーザの身体が動いているか否かを判断してもよい。また、例えば、ユーザの頭部に脳波を測定するための電極を設置し、測定した脳波に基づいてノンレム睡眠であるか否かを判断してもよい。また、例えば、ユーザの筋電位を測定するための電極を設置し、測定した筋電位に基づいてノンレム睡眠であるか否かを判断してもよい。
【０１０１】
（２）
本実施の形態１〜３では、制御装置１００、２００では、ユーザの睡眠状態を深くさせるために、熱源部１３１でユーザの目元を温めているが、これに限らない。例えば、さらに、香発生装置および音楽再生装置を制御装置が備えていてもよい。この場合、熱源部１３１でユーザの目元を温めることに加えて、さらに、ユーザの睡眠を促進させる香り（例えば、ラベンダーの香り）を発生させる香発生装置を作動させることを行ってもよいし、さらに、ユーザの睡眠を促進させる音楽をスピーカから再生させてもよい。また、目元を温める代わりに、香りを発生させてもよいし、音楽を再生させてもよい。
【０１０２】
（３）
本実施の形態３では、情報端末９０１は、アイマスク１の判断部１１２において判断されたユーザの睡眠状態を示す睡眠情報を受信して、受信した睡眠情報に基づいて、周辺機器９０２〜９１０に各種制御を行わせているが、これに限らない。例えば、情報端末９０１は、眼電位測定センサ１２０で測定された結果を示す情報を受信して、ユーザの睡眠状態を判断する構成を有していてもよい。つまり、情報端末９０１が、制御部１１０の機能のうちの判断部１１２、作動制御部１１３（この場合は周辺機器９０２〜９１０の制御を行う）、および時刻設定部１１４の機能を有していてもよい。
【０１０３】
また、情報端末９０１は、アイマスク１の判断部１１２において判断されたユーザの睡眠状態を示す睡眠情報を受信して、受信した睡眠情報を蓄積することで、ユーザの睡眠状態を管理してもよい。具体的には、情報端末９０１は、取得した睡眠情報で示されるユーザの睡眠状態を当該睡眠が行われた日時と関連づけて視覚化した表示（例えば図６のような睡眠時間と睡眠レベルとの関係を示すグラフや、ユーザの睡眠の質を視覚化した表示）を行ってもよい。また、情報端末９０１は、取得した睡眠情報を分析することで、ユーザの睡眠の質を高めるためのアドバイスを表示するようにしてもよい。
【０１０４】
（４）
本実施の形態１では、アイマスク１の固定部７０は、バンド状の部材で構成され、本体部８０とともにユーザの頭部の周囲を１周巻くことで、本体部８０を頭部の顔面の両眼の位置に固定しているが、これにバンド状の部材で構成することに限らない。例えば、本体部８０の両端から左右の側頭部に沿って延びる形状の部材であり、頭部を左右の側頭部の位置で挟みこむことで固定するものであってもよい。
【０１０５】
（５）
本実施の形態１では、アイマスク１の回路基板４４は、電池３０の電力によって駆動されるが、商用電源から有線で電力を取得して当該電力によって駆動されてもよい。
【０１０６】
以上、本発明の一つまたは複数の態様に係る制御方法、制御装置、およびアイマスクについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１０７】
本発明は、ユーザが効率よく睡眠させる制御を行うことができるアイマスクなどとして有用である。
【符号の説明】
【０１０８】
１  アイマスク
１０  前面カバー
２０  筐体
３０  電池
４０  制御装置
４１  眼電位測定センサ
４２  ペルチェ素子
４３  振動素子
４４  回路基板
４５  通信基板
５０  伝熱材
６０  シリコーンラバー
７０  固定部
８０  本体部
１００、２００  制御装置
１１０、２１０  制御部
１１１、２１１  眼電位測定部
１１２、２１２  判断部
１１３、２１３  作動制御部
１１４  時刻設定部
１２０、２２０  眼電位測定センサ
１３０  作動部
１３１、２３０  熱源部
１３２  振動部
１４０  入力部
１５０  通信部
９００  制御システム
９０１  情報端末
９０２  ブラインド
９０３  照明機器
９０４  エアコン
９０５  電子レンジ
９０６  加湿器
９０７  オーディオ機器
９０８  テレビ
９０９  香ディフューザー
９１０  ブランケット
【図１】
2015147034.tif 000003
【図２】
2015147034.tif 000004
【図３】
2015147034.tif 000005
【図４】
2015147034.tif 000006
【図５】
2015147034.tif 000007
【図６】
2015147034.tif 000008
【図７】
2015147034.tif 000009
【図８】
2015147034.tif 000010
【図９】
2015147034.tif 000011
【図１０】
2015147034.tif 000012